(57)【要約】【課題】回路構成が簡易でありながら、消費電力の無駄を軽減可能な電子機器を提供する。【解決手段】液晶ディスプレイで構成され光源５ａを備えた液晶表示部６ａと、制御部１から送出されてくる表示制御信号や表示データを受け付けて、その液晶表示部６ａを駆動制御する表示制御手段とを備えた電子機器であって、表示制御信号は複数ビットの制御コードとされ、かつ上記表示制御手段は、その制御コードを解読して判別するデコード手段４を備えており、デコード手段４は、所定の制御コードを解読し、その解読した制御コードに応じて光源５ａの駆動制御をする光源点灯制御回路５へ光源制御信号を出力する構成とする。【選択図】図１
2006030591.tif 000002
【特許請求の範囲】
【請求項１】
液晶ディスプレイで構成され光源を備えた液晶表示部と、制御部から送出されてくる表示制御信号や表示データを受け付けて、その液晶表示部を駆動制御する表示制御手段とを備えた電子機器であって、
上記表示制御信号は複数ビットの制御コードとされ、かつ上記表示制御手段は、その制御コードを解読して判別するデコード手段を備えており、
上記デコード手段は、所定の制御コードを解読し、その解読した制御コードに応じて上記光源の駆動制御をする光源点灯制御回路へ光源制御信号を出力する構成とされる電子機器。
【請求項２】
請求項１において、
上記光源点灯制御回路は、上記デコード手段から送出されてくる光源制御信号とストローブ信号とを受け付けて、そのストローブ信号毎にその光源制御信号を更新維持するラッチ回路を有する駆動回路を備えていることを特徴とする、電子機器。
【請求項３】
請求項１又は２のいずれかにおいて、
上記デコード手段は、上記液晶表示部をオフ状態にするための表示制御信号以外の制御コードを解読すると光源制御信号を出力する構成とされる、電子機器。
【請求項４】
請求項１〜３のいずれかにおいて、
上記光源は、発光ダイオードであることを特徴とする電子機器。
【発明の詳細な説明】
【技術分野】
【０００１】
本発明は、液晶ディスプレイを備えた電子機器に関する。
【背景技術】
【０００２】
従来より、ファクシミリ装置やパソコンディスプレイ、携帯電話機、デジタルスチルカメラ等、さまざまな電子機器の表示画面に液晶ディスプレイが採用され、これまでこれら液晶ディスプレイの光源は、冷陰極管を用いることが主流であったが、冷陰極管はこれを点灯させるのに、高電圧を要し、輝度の立ち上がりに時間が要することやノイズ対策を要すること等、種々の問題があり、近年では研究・開発が進んできた発光ダイオード（以下、ＬＥＤという）を光源とする液晶ディスプレイがみられる。
【０００３】
このＬＥＤは、薄型・小型化がしやすく、構成が容易で消費電力が少ない等の利点があり、
近年の省エネ化傾向に合う光源としてより一層、用いられることが予想されている。
液晶ディスプレイが搭載された電子機器の省エネ対策として、例えば下記特許文献１には
使用されていないときは、液晶ディスプレイの光源を消灯し、さらに不使用状態が続くと液晶ディスプレイ自体の電源をオフにする装置が開示されている。
【特許文献１】特開２００１−２６８２８８号公報
【発明の開示】
【発明が解決しようとする課題】
【０００４】
しかしながら、当該装置は上述のように段階的な制御をするため、光源の点灯／消灯と、液晶ディスプレイのオン／オフが個別になされるよう構成されているので、回路構成が複雑となり、制御プログラムもこれに伴い複雑化してしまう問題があった。
また、省エネ化を考慮すると、個別に段階的な制御するよりも、一定時間不使用の場合は、光源、液晶ディスプレイともに、オフにする構成が望まれる。
【０００５】
本発明は、このような問題を解決するために提案されるものであり、回路構成が簡易でありながら、消費電力の無駄を軽減可能な電子機器を提供することを目的としている。
【課題を解決するための手段】
【０００６】
上記目的を達成するために、本発明の請求項１では、液晶ディスプレイで構成され光源を備えた液晶表示部と、制御部から送出されてくる表示制御信号や表示データを受け付けて、その液晶表示部を駆動制御する表示制御手段とを備えた電子機器であって、上記表示制御信号は複数ビットの制御コードとされ、かつ上記表示制御手段は、その制御コードを解読して判別するデコード手段を備えており、上記デコード手段は、所定の制御コードを解読し、その解読した制御コードに応じて上記光源の駆動制御をする光源点灯制御回路へ光源制御信号を出力する構成とされる電子機器を提案する。
【０００７】
請求項２では、請求項１において、上記光源点灯制御回路は、上記デコード手段から送出されてくる光源制御信号とストローブ信号とを受け付けて、そのストローブ信号毎にその光源制御信号を更新維持するラッチ回路を有する駆動回路を備えていることを特徴とする電子機器を提案する。
【０００８】
請求項３では、請求項１又は２のいずれかにおいて、上記デコード手段は、上記液晶表示部をオフ状態にするための表示制御信号以外の制御コードを解読すると光源制御信号を出力する構成とされる、電子機器を提案する。
【０００９】
請求項４では、請求項１乃至請求項３のいずれかにおいて、上記光源は、発光ダイオードであることを特徴とする電子機器を提案する。
【発明の効果】
【００１０】
本発明の請求項１〜４によれば、液晶表示部の駆動制御に連動して、光源の制御が可能となる。よって、例えば省エネモード搭載の電子機器においては、液晶ディスプレイがオフすると、これに伴い光源も消灯するため、より省エネ効果が高まる。
【００１１】
特に請求項１においては、表示制御手段で制御コードを解読して判別するため、制御部から独立した光源制御信号を送出する必要がなく、回路構成が簡単となるとともに、制御プログラムも簡略化することができる。またこの構成によれば、専用線を設ける必要もない。
【００１２】
請求項２によれば、光源点灯制御回路は、デコード手段から送出されてくる光源制御信号とストローブ信号とを受け付けて、そのストローブ信号毎にその光源制御信号を更新維持するラッチ回路を有する駆動回路を備えているので、簡易な構成で、液晶表示部との連動が可能である。
【００１３】
請求項３によれば、デコード手段は、液晶表示部をオフ状態にするための表示制御信号以外の制御コードを解読すると光源を点灯させる光源制御信号を出力する構成としているので、簡易な構成で、液晶表示部との連動が可能である。
【００１４】
請求項４によれば、光源として発光ダイオードを用いるので、液晶表示部の小型化、薄型化、及びより一層の省電力化を図ることができる。
【発明を実施するための最良の形態】
【００１５】
以下に、本発明の実施の形態について説明する。
【実施例１】
【００１６】
図１は、本発明の電子機器の要部構成の一例を示す図である。なお、ここでは、電子機器としてファクシミリ装置の構成を示しているが、液晶ディスプレイで構成され、光源を備えた液晶表示部を備えた電子機器であれば、これに限らず、パソコンディスプレイ、携帯電話機、デジタルスチルカメラ等、何を用いてもよい。
【００１７】
この電子機器は、これを制御する制御部１と、電話回線Ｌに接続制御するＮＣＵ２と、ファクシミリ通信に必要な各種信号を変復調するＭＯＤＥＭ３と、ロジック同士を接続し、制御部からの制御信号を解読・復号するデコード手段（ゲートアレイ）４と、液晶ディスプレイの光源の点灯を制御する光源点灯制御回路５と、デコード手段４からの制御信号に応じて液晶表示部６ａ（ＬＣＤ）を駆動させるＬＣＤドライバ６と、各種キーで構成される操作部７と、このファクシミリ装置Ｆは動作するのに必要なプログラムなどを格納するＲＯＭ８と、短縮ダイヤルなどを登録するＲＡＭ９と、画像データを一時格納する画像メモリ１０と、画像データの符号化、復号をするＣＯＤＥＣ１１と、原稿を読み取り画像データと形成するスキャナ１２と、画像データを予めセットされた記録紙に印字出力するプリンタ１３とを備える。
【００１８】
ここで、光源５ａは、冷陰極管やＬＥＤ等が適宜選択して用いられ、特にＬＥＤを光源５ａとすれば、液晶表示部６ａを薄型、小型化が可能で且つ本発明の構成により、より一層の省電力化が図れる。
液晶表示部６ａは透過型、反射型、半透過型等、いずれのタイプでもよく、光源の照射方法としては、画面裏面に光源を配置するバックライト型や、画面前面に光源を配置するフロントライト型、画面横に光源を配置するサイドライト型等、いずれでも適用可能である。
【００１９】
本発明の電子機器は、液晶ディスプレイで構成され光源５ａを備えた液晶表示部６ａと、制御部１から送出されてくる表示制御信号や表示データを受け付けて、その液晶表示部６ａを駆動制御する表示制御手段とを備えた電子機器であって、表示制御信号は複数ビットの制御コードとされ、かつ上記表示制御手段は、その制御コードを解読して判別するデコード手段４を備えており、デコード手段４は、所定の制御コードを解読し、その解読した制御コードに応じて光源５ａの駆動制御をする光源点灯制御回路５へ光源制御信号を出力する構成とすることを特徴とする。
【００２０】
これによれば、液晶表示部６ａの駆動制御に連動して、光源５ａの制御が可能となる。よって、例えば省エネモード搭載の電子機器においては、液晶ディスプレイがオフすると、同時に光源も消灯するため、より省エネ効果が高まる。
【００２１】
また、表示制御手段で制御コードを解読して判別するため、制御部から独立した光源制御信号を送出する必要がなく、回路構成が簡単となるとともに、制御プログラムも簡略化することができる。よって、この構成によれば、別途専用線を設ける必要もない。
【００２２】
制御部１からは、液晶表示部６ａで表示される表示データとともに、液晶表示部６ａのオン／オフ状態を制御する表示制御信号が表示制御手段へ送出され、この表示制御手段は表示制御信号を解読するデコード手段４を備えている。
【００２３】
上記表示制御信号は、液晶表示部６ａのオン／オフ状態を制御する信号であるとともに、複数ビット（例えば１６ビット）からなる制御コードとされ、液晶表示部６ａを制御する制御コードの中に光源５ａを点灯させるための制御コードが割当てられており、割当てられた制御コードをデコード手段４で解読すると、その解読した制御コードに応じて光源制御信号が出力され、光源点灯制御回路を介して光源５ａのオン／オフ制御がなされる
【００２４】
図２は本発明の電子機器の光源点灯制御回路５の内部構成の一例を示した図である。  
光源点灯制御回路５は、論理回路５１とラッチ回路５２とスイッチ回路５３とで構成されており、ラッチ回路５２は、デコード手段４からの光源制御信号とストローブ信号とを受け付けて、そのストローブ信号毎にその光源制御信号の状態を更新保持し、液晶表示部６ａをオフ状態にするための制御コードがデコード手段４で解読されると、デコード手段４から光源制御信号は出力されず（有効とならず）、この状態をラッチ回路５２で保持し、光源５ａを消灯する構成とし、これに対してデコード手段４で、液晶表示部６ａをオフ状態にするための表示制御信号以外の制御コードを解読した場合は、ラッチ回路５２に光源制御信号が出力され、これに基づき光源５ａが点灯する。すなわち、液晶表示部６ａをオフ状態にする制御コード以外を識別している間は、点灯状態が保持される。
【００２５】
これによれば、簡易な構成で、液晶表示部６ａとオン／オフ連動が可能である。
光源点灯制御回路５の構成は図２のものに限られず、たとえば図３に記載の構成でもよい。
【００２６】
図３は、本発明の電子機器の光源点灯制御回路５の内部構成の別の実施例を示した図である。
ここに示す光源点灯制御回路５は、インバータ５４とスイッチ回路５３とで構成され、液晶表示部６ａをオフ状態にするための制御コードがデコード手段４で解読されると、光源５ａを消灯し、それ以外は光源制御信号を受け付けて、点灯保持し続ける構成としており、簡易な構成で液晶表示部６ａとオン／オフの連動が可能である。
【図面の簡単な説明】
【００２７】
【図１】本発明の電子機器の内部構成の一例を示す図である。
【図２】本発明の光源点灯制御回路の内部構成の一例を示す図である。
【図３】本発明の別の実施例の光源点灯制御回路の内部構成の一例を示す図である。
【符号の説明】
【００２８】
１    制御部
４    デコード手段
５    光源点灯制御回路
５ａ  光源
６    ＬＣＤドライバ
６ａ  液晶表示部        
【図１】
2006030591.tif 000003
【図２】
2006030591.tif 000004
【図３】
2006030591.tif 000005